(57)【要約】      （修正有）【課題】足が蒸れるのを解消しつつ、雨水等が侵入することのないようにした靴を提供する。【解決手段】靴本体１０の靴底後足部１６の凹部１９にはチャンバー２０を内蔵し、チャンバーはエアー吸入口２１とエアー吐出口２２を有するとともに、弾性復元性を有して、足の踵によって押し込まれてエアー吐出口から内部エアーを吐出し、重さを解放することによって元の大きさに復元してエアー吸入口からエアーを吸引する一方、靴本体の靴底部は靴底後足部から爪先部に向けて伸びるエアー吐出通路２４を有し、エアー吐出通路にはエアーの吹出口を形成し、エアー吐出通路の基部はチャンバーのエアー吐出口に接続し、靴本体は踵部の縦壁部分にエアー送給通路を有し、エアー送給通路には外気又は外気を一部に含む新鮮なエアーを吸い込むエアー吸込口２７を形成する。【選択図】図１
2020099684.tif 000002
【特許請求の範囲】
【請求項１】
爪先の蒸れたエアーを外気又は外気体を一部に含む新鮮なエアーと換気することのできるようにした靴において、
靴本体の靴底後足部には凹部が形成され、該凹部にはチャンバーが内蔵され、該チャンバーはエアー吸入口とエアー吐出口を有するとともに、弾性復元性を有して、足の踵によって重さが加えられることによって押し込まれてエアー吐出口から内部エアーを吐出し重さが解放されることによって元の大きさに復元してエアー吸入口からエアーを吸引するになっている一方、
上記靴本体の靴底部は靴底後足部から爪先部に向けて伸びるエアー吐出通路を有し、該エアー吐出通路にはエアーの吹出口が形成され、上記エアー吐出通路の基部は上記チャンバーのエアー吐出口に接続され、上記靴本体は踵部の縦壁部分にエアー送給通路を有し、該エアー送給通路には外気又は外気を一部に含む新鮮なエアーを吸い込むエアー吸込口が形成されていることを特徴とする靴。
【請求項２】
上記チャンバーは交換可能に設けられている請求項1 記載の靴。
【発明の詳細な説明】
【技術分野】
【０００１】
この発明は靴に関し、特に靴内が蒸れることのないようにした靴に関する。
【背景技術】
【０００２】
革靴、長靴、ブーツなどは長時間履き続けると、足から発生する湿気が靴内に充満し、蒸れて悪臭の原因となるばかりでなく、足の皮膚がただれて足指の間に水虫が発生しやすくなる。
【０００３】
そこで、靴底やアッパー表面に通気穴を設け、靴内の蒸れを解消することか行われているが（特許文献１）。
【０００４】
また、靴踵後足部内にエアーバッグを内蔵し、エアーバッグの収縮から膨出に伴う吸引によって靴踵後足部の側方の外気取入れ口から逆止弁を介して外気を取り込み、膨出からの収縮によってエアーバッグ内のエアーを靴内に放出して靴内に蒸れを解消するようにした構造が提案されている（特許文献２）。
【先行技術文献】
【特許文献】
【０００５】
【特許文献１】特開２００１−２９１０２号公報
【特許文献２】実用新案登録第３１１０８８６号公報
【発明の開示】
【発明が解決しようとする課題】
【０００６】
しかし、特許文献１、２記載の構造では通気穴や外気取入れ口から雨水等が浸入するおそれがあった。
【０００７】
本発明はかかる問題点に鑑み、足が蒸れるのを解消しつつ、雨水等が侵入することのないようにした靴を提供することを課題とする。
【課題を解決するための手段】
【０００８】
そこで、本発明に係る靴は、爪先の蒸れたエアーを外気又は外気を一部に含む新鮮なエアーと換気することのできるようにした靴において、靴本体の靴底後足部には凹部が形成され、該凹部にはチャンバーが内蔵され、該チャンバーはエアー吸入口とエアー吐出口を有するとともに、弾性復元性を有して、足の踵によって重さが加えられることによって押し込まれてエアー吐出口から内部エアーを吐出し重さが解放されることによって元の大きさに復元してエアー吸入口からエアーを吸引するになっている一方、上記靴本体の靴底部は靴底後足部から爪先部に向けて伸びるエアー吐出通路を有し、該エアー吐出通路の爪先部にはエアーの吹出口が形成され、上記エアー吐出通路の基部は上記チャンバーのエアー吐出口に接続され、上記靴本体は踵部の縦壁部分にエアー送給通路を有し、該エアー送給通路には外気又は外気を一部に含む新鮮なエアーを吸い込むエアー吸込口が形成されていることを特徴とする。
【０００９】
本発明の特徴の１つはチャンバーの復元動作によって靴踵部縦壁部分のエアーの吸込口から外気または外気を一部に含む新鮮なエアーを吸い込み、チャンバーの収縮動作によってエアー吐出通路の吹出口から靴本体の爪先部内に吹き出させるようにした点にある。
【００１０】
かかる構造により、歩行時の足の動きによって靴本体爪先部内の蒸れて臭気を有するエアーを靴本体外に排出して、外気または新鮮なエアーと換気することができる結果、悪臭を解消でき、しかも足の皮膚がただれ、足指の間に水虫が発生するのを少なくできる。
【００１１】
また、靴踵部縦壁部分に沿ってエアー送給通路を設け、エアー送給通路にエアー吸込口を設けて外気又は外気を一部に含む新鮮なエアーをチャンバー内に吸い込むようにしたので、雨水などを吸い込むこともない。
【００１２】
エアー送給通路は靴踵部縦壁部分の外側に設けてもよく、内部に設けるようにしてもよい。エアー送給通路の高さは特に限定されないが、少なくとも外気を一部に吸い込むことができる高さであることが望ましい。
【００１３】
チャンバーは靴本体の靴底後足部の凹部内に固定的に内蔵してもよいが、故障時などに交換できるように着脱可能に設けるのがよい。
【図面の簡単な説明】
【００１４】
【図１】本発明に係る靴の好ましい実施形態を示す一部切欠き側面図である。
【図２】上記実施形態において甲部、踵部及び中敷を取り外した靴底部分を示す平面図である。
【図３】第２の実施形態を示す一部切欠き側面図である。
【図４】上記実施形態の要部を示す断面図である。
【図５】第３の実施形態を示す一部切欠き側面図である。
【図６】上記実施形態において甲部、踵部及び中敷を取り外した靴底部分を示す平面図である。
【図７】上記実施形態の背面側から見た構造の体重が加わる前の状態及び加わったときの状態を示す図である。
【図８】上記実施形態におけるエアー吐出口（ａ）及び吸入口（ｂ）の構造の例を示す図である。
【発明を実施するための形態】
【００１５】
以下、本発明を図面に示す具体例に基づいて詳細に説明する。図１及び図２は本発明二係る靴の好ましい実施形態を示し、これは革靴に適用した例である。図において、靴本体１０は足甲部１１、靴底部１２、踵部１３及び中敷１４から構成され、足甲部１１と踵部１３の間には履き口部１５が後継され、又靴底部１２は靴底後足部１６と靴底本体１７と爪先部１８とから構成されている。
【００１６】
靴本体１０の靴底後足部１６には凹部１９が形成され、凹部１９にはチャンバー２０が着脱可能に内蔵されている。このチャンバー２０は弾性復元性を有する材料、例えば合成ゴムなどによって製造され、チャンバー２０の内部には２本のクッション柱２０Ａが立設されている。なお、このクッション柱２０Ａは必ずしも設けなくともよい。
【００１７】
また、チャンバー２０にはエアー吸入口２１とエアー吐出口２２が対向して形成され、エアー吸入口２１及びエアー吐出口２２には逆止弁２３が内蔵されており、足の踵によって重さが加えられることによって押し込まれてエアー吐出口２２から内部エアーを吐出する一方、重さが解放されることによって元の大きさに復元し、エアー吸入口２１からエアーを吸引するになっている。
【００１８】
靴本体１０の靴底部１２内部には靴底後足部１６から爪先部１８に向けて伸びるエアー吐出通路２４が設けられ、エアー吐出通路２４の爪先部１８の部分にはエアーの吹出口２５が形成され、エアー吐出通路２４の基部はチャンバー２０のエアー吐出口２２に接続されている。
【００１９】
また、靴本体１０は踵部１３の縦壁背面部分にはエアー送給通路２６が形成され、エアー送給通路２６には外気又は外気を一部に含む新鮮なエアーを吸い込むエアー吸込口２７が形成されている。
【００２０】
靴を履くと、靴底後足部１６の中敷１４には足の踵が位置し、歩行すると足の踵がチャンバー２０を押し込み、チャンバー２０は収縮してチャンバー２０内部のエアーがエアー吐出口２２からエアー吐出通路２４に吐出され、エアー吐出通路２４の爪先部１８のエアーの吹出口２５から靴本体１０内に吐出される。
【００２１】
このとき、チャンバー２０のエアー吸入口２１には逆止弁２３が設けられているので、チャンバー２０内のエアーがエアー送給通路２６側に逆流することはない。
【００２２】
歩行によって足の踵が浮くと、チャンバー２０は弾性力によって元の大きさに膨張して復元し、チャンバー２０内には負圧が発生してエアー吸入口２１からエアー送給通路２６に負圧が作用し、靴本体１０内の、外気を一部に含む新鮮なエアーがチャンバー２０内に吸引される。
【００２３】
このとき、チャンバー２０のエアー吐出口２２には逆止弁２３が設けられているので、爪先部１８側のエアーがエアー吐出通路２４を経てチャンバー２０内に逆流することはない。
【００２４】
したがって、爪先の蒸れて臭気を有するエアーは外気を含む新鮮なエアーによって靴本体１０から排出され、新鮮なエアーと換気することができる結果、悪臭を解消でき、しかも足の皮膚がただれ、足指の間に水虫が発生するのを少なくできる。
【００２５】
また、靴踵部１３縦壁部分に沿ってエアー送給通路２６を設け、エアー送給通路２６にエアー吸込口２７を設けて外気を含む新鮮なエアーをチャンバー内に吸い込むようにしたので、雨水などをチャンバー２０内に吸い込むこともない。
【００２６】
図３及び図４は第２の実施形態を示し、これは長靴に適用した例である。図において図１及び図２と同一符号は同一又は相当部分を示す。本例では踵部１３の縦壁部分及びこれに連続する長靴の脚部３０の内部にエアー送給通路２６を形成するようにしている。
【００２７】
図５ないし図８は第３の実施形態を示す。図において図１ないし図４と同一符号は同一又は相当部分を示す。本例では靴本体１０の靴底後足部１６には凹部１９が形成され、凹部１９にはチャンバー２０が着脱可能に内蔵され、チャンバー２０は弾性復元性を有する材料、例えば合成ゴムなどによって製造されている。
【００２８】
また、チャンバー２０にはエアー吸入口２１とエアー吐出口２２が対向して設けられ、エアー吸入口２１及びエアー吐出口２２には逆止弁２３が内蔵されており、足の踵によって重さが加えられることによって押し込まれてエアー吐出口２２から内部エアーを吐出する一方、重さが解放されることによって元の大きさに復元し、エアー吸入口２１からエアーを吸引するようになっている。
【００２９】
ここで、エアー吸入口２１及びエアー吐出口２２は図８に示されるように、エアー通路が形成された吸入口部２１及吐出口部２２のエアーの出口側にゴム膜製の逆止弁２３が出口を封鎖し得るように取付けられており、エアーの流入は許可されるが、流出については逆止弁２３がエアーによって押されることによって開かれ、エアーの出口側からのエアーの流出は許容される一方、逆流については逆止弁２３がエアーの圧力を受けてエアーの出口を塞ぐことによって逆流が防止されるようになっている。
【００３０】
靴本体１０の靴底部１２内部には靴底後足部１６から爪先部１８に向けて伸びる複数本の凹溝２４Ａが形成され、該凹溝２４Ａの上面開口が中敷１４によって封鎖されることによってエアー吐出通路２４が構成され、エアー吐出通路２４の上方の中敷１４にはエアーの吹出口２５が適宜形成され、又中敷１４の踵部分にはチャンバー２０に対応する箇所に穴１４Ａが形成され、穴１４Ａからチャンバー２０の一部が突出されている。
【００３１】
靴を履くと、靴底後足部１６の中敷１４には足の踵が位置し、歩行すると足の踵がチャンバー２０を押し込み、チャンバー２０は収縮してチャンバー２０内部のエアーがエアー吐出口２２からエアー吐出通路２４に吐出され、エアー吐出通路２４のエアーの吹出口２５から靴本体１０内に吐出される。
【００３２】
このとき、チャンバー２０のエアー吸入口２１には逆止弁２３が設けられているので、チャンバー２０内のエアーがエアー送給通路２６側に逆流することはない。
【００３３】
歩行によって足の踵が浮くと、チャンバー２０は弾性力によって元の大きさに膨張して復元し、チャンバー２０内には負圧が発生してエアー吸入口２１からエアー送給通路２６に負圧が作用し、靴本体１０内の、外気を一部に含む新鮮なエアーがチャンバー２０内に吸引される。
【００３４】
このとき、チャンバー２０のエアー吐出口２２には逆止弁２３が設けられているので、爪先部１８側のエアーがエアー吐出通路２４を経てチャンバー２０内に逆流することはない。
【００３５】
したがって、爪先の蒸れて臭気を有するエアーは外気を含む新鮮なエアーによって靴帆体１０から排出され、新鮮なエアーと換気することができる結果、悪臭を解消でき、しかも足の皮膚がただれ、足指の間に水虫が発生するのを少なくできる。
【００３６】
なお、上記で革靴及び長靴に適用した例であったが、スポーツシューズ、ブーツ（編上げタイプのブーツを含む）その他のシューズにも適用することができる。
【符号の説明】
【００３７】
１０      靴本体
１１      足甲部
１２      靴底部
１３      踵部
１４      中敷
１６      靴底後足部
１８      爪先部
１９      凹部
２０      チャンバー
２１      エアー吸入口
２２      エアー吐出口
２３      逆止弁
２４      エアー吐出通路
２５      エアー吹出し口
２６      エアー送給通路
２７      エアー吸込口
【図１】
2020099684.tif 000003
【図２】
2020099684.tif 000004
【図３】
2020099684.tif 000005
【図４】
2020099684.tif 000006
【図５】
2020099684.tif 000007
【図６】
2020099684.tif 000008
【図７】
2020099684.tif 000009
【図８】
2020099684.tif 000010